(57)【要約】【課題】監視対象の建物内に設置される映像端末器の記憶装置に改造を加えることなく、コンテンツの追加や更新を可能とする情報表示装置の提供。【解決手段】通信回線２７を介して遠隔的に設備機器の異常を監視する管制センタ１３には、建物１内の所定の場所に配置されるディスプレイ４に表示する映像データを記憶する映像記憶部２６と、建物１の設備機器の異常を検出する端末装置２８から送信された異常データに基づいて、映像記憶部２６から抽出した映像データをディスプレイ４に表示する映像データの表示制御を行なう映像端末器２へ、通信回線１０を介して送信指令を行なう表示情報管理部１９とを備えたものである。【選択図】図１
2008052632.tif 000002
【特許請求の範囲】
【請求項１】
建物内の玄関やエレベーターホール等所定の場所に配置され、映像情報を表示するディスプレイと、このディスプレイに表示する複数の映像データの表示制御を行なう映像端末器と、この映像端末器と通信手段を介して遠隔にて接続されるとともに、前記映像端末器へのアクセスが認証されると前記映像端末器に映像データを供給するパーソナルコンピュータと、前記建物の設備機器の異常検出するとともに、通信回線を介して遠隔的に設備機器の異常を監視する管制センタヘ異常データを送信する端末装置とを備えた情報表示装置において、前記管制センタには、前記ディスプレイに表示する映像データを記憶する映像記憶部と、
前記端末装置から送信された異常データに基づいて、前記映像記憶部から抽出した映像データを前記映像端末器に通信回線を介して送信指令を行なう表示情報管理部とを備えたことを特徴とする情報表示装置。
【発明の詳細な説明】
【技術分野】
【０００１】
本発明は情報表示装置に係り、建物に設けた設備装置を遠隔的に監視するのに好適な情報表示装置に関する。
【背景技術】
【０００２】
従来の遠隔監視管理システムは、複数の建物内に設置された表示部と、情報源からの情報を入力する情報入力手段、入力された情報を蓄積するデータベース、このデータベースに蓄積された情報のうち所定の情報を所定の伝送路を介して所定の建物に出力する情報出力する情報出力手段を備えた表示制御センタと、建物内に設置され、表示制御センタから送信された情報を表示部に所定の条件で表示させる表示部駆動手段を備えた端末装置とで構成している。
【０００３】
このような構成の遠隔監視管理システムは、情報源からの種々の情報を表示制御センタで制御するとともに、これらの情報を選択した建物内の端末装置に送信することで、端末装置は送信された情報を所定の条件に従って表示部に自動的に表示するようにしたので、建物内に表示のためのオペレータを配置する必要はなく、種々の情報を容易かつ安価に建物内に表示するようにして、お客様への細かなサービス提供を行っていた（例えば、特許文献参照）。
【特許文献１】特開平２−２８０３００号公報
【発明の開示】
【発明が解決しようとする課題】
【０００４】
従来の情報表示装置において、建物内の情報コンテンツを映像端末器に記憶格納するため、表示するためのコンテンツ容量が増大すると、映像端末器の映像記憶部の容量を増大させる改造が発生し、改造時に経済的負担が更に発生する問題があった。
【０００５】
本発明の目的は、監視対象の建物内に設置される映像端末器の記憶装置に改造を加えることなく、コンテンツの追加や更新を可能とする情報表示装置を提供することにある。
【課題を解決するための手段】
【０００６】
上記目的を達成するために本発明は、建物内の玄関やエレベーターホール等所定の場所に配置され、映像情報を表示するディスプレイと、このディスプレイに表示する複数の映像データの表示制御を行なう映像端末器と、この映像端末器と通信手段を介して遠隔にて接続されるとともに、前記映像端末器へのアクセスが認証されると前記映像端末器に映像データを供給するパーソナルコンピュータと、前記建物の設備機器の異常検出するとともに、通信回線を介して遠隔的に設備機器の異常を監視する管制センタヘ異常データを送信する端末装置とを備えた情報表示装置において、前記管制センタには、前記ディスプレイに表示する映像データを記憶する映像記憶部と、前記端末装置から送信された異常データに基づいて、前記映像記憶部から抽出した映像データを前記映像端末器に通信回線を介して送信指令を行なう表示情報管理部とを備えたものである。
【０００７】
このようにしたので、映像端末器の映像記憶部の容量を増大させる改造が不要となり問題が生じない。
【発明の効果】
【０００８】
以上本発明は、ディスプレイに表示する情報コンテンツを監視センタ側で保管することにより、表示するコンテンツが増大しても映像端末器の映像記憶部の容量を増大させる改造が不要となり、経済的なサービス提供が可能となる。
【発明を実施するための最良の形態】
【０００９】
以下、本発明の実施の形態を、図面を参照しながら説明する。
【００１０】
図１は本発明の実施形態を示す要部構成を示すブロック図である。
【００１１】
図１によれば、本実施形態に関わる遠隔監視連動型情報配信システムは、契約顧客であるお客様ビル１内に端末装置２８、表示ユニット３、ディスプレイ４、カメラ５、映像端末器２から構成されている。
【００１２】
また、映像端末器２は、通信制御部６、表示制御部８、表示情報管理部７、記憶装置９を有して構成され、インターネットを介して管制センタ１３内の情報配信センタ１５と管理者ビル１２に接続されている。また、端末装置２８も一般電話回線２７を介して管制センタ１３内の監視センタ１４に接続されている。
【００１３】
管制センタ１３は監視センタ１４と情報配信センタ１５が設置されており、監視センタ１４には、回線制御装置２２、受信制御部２３、表示・操作部２１、記憶装置２５、コンテンツ記憶装置２６、Ｆ／Ｗ２４が構成されており、回線制御装置２２は一般電話回線２７を介してお客様ビル１の端末装置２８へ接続されており、Ｆ／Ｗ２４はネットワークを経由して情報配信センタ１８内のＦ／Ｗ１６へ接続されている。
【００１４】
情報配信センタ１５は、Ｆ／Ｗ１６、通信制御部１７、表示・操作部１８、表示情報管理部１９、記憶装置２０を有して構成されており、Ｆ／Ｗ１６は、インターネット１０を介して、お客様ビル１と管理者ビル１２に接続されている。また、Ｆ／Ｗ１６はネットワークを介して、監視センタ１４内のＦ／Ｗ２４に接続されている。
【００１５】
端末装置２８は監視対象となる建物等に設置される設備装置、防犯装置、防災装置等と電気的に接続され、電気信号の変化により、異常または復旧状態等を検知するものである。
【００１６】
次に、本一実施形態の動作の説明を行なう。
【００１７】
まず、端末装置２８が電気信号の変化から通報要因を検知した場合は、一般電話回線２７を介して、管制センタ１３内の監視センタ１４に通報する。回線制御装置２２は、端末装置２８からの通報情報を正常に受信すると、一般電話回線２７を切断し、受信制御部２３へ通報内容を送信する。
【００１８】
また、受信制御部２３は受信した通報内容を記憶装置２５に格納されている情報を基に、通報元の建物、監視機器の内容、状態、各種対応情報や対応業者への連絡に必要となる監視設備毎の電話番号等を読み出し、表示・操作部２１に読み出した内容を送信する。端末装置２８から受信した通報内容は、受信情報として一旦記憶装置２５に格納される。同一時に、受信制御部２３はコンテンツ記憶装置２６に格納されている防犯、防災等のアラーム情報に対して、当該情報を検索し、検索結果をＦ／Ｗ２４からＦ／Ｗ１６を経由して、通信制御部１７へ送信する。
【００１９】
また、通信制御部１７は、Ｆ／Ｗ１６からインターネット１０を介して、お客様ビル１内の映像端末器２の通信制御部６へ割り込み指令として送信される。
【００２０】
通常は、管理者ビル１２内のパソコン１１で登録された情報コンテンツやカメラ５の映像が記憶装置９に登録されており、表示情報管理部７を介して、表示制御部が表示ユニット３ヘコンテンツを送信することによりスケジュールでディスプレイ４へ表示されている。
【００２１】
また、通信制御部１７へ異常データ等の割り込み指令が送信されると、表示制御部８が表示情報管理部７との通信を止めることにより今まで表示されていた通常コンテンツが表示されなくなり、監視センタ１４のコンテンツ記憶装置２６内に格納されている防犯、防災等の非常時のコンテンツをディスプレイ４へ表示させる。
【００２２】
非常時コンテンツの表示は、端末装置２８からの同復旧発報を監視センタ１４が受信することにより、情報配信センタ１５経由で映像端末器２に送信され、表示制御部８が表示情報管理部７との通信を再開することにより、記憶装置９から通常のコンテンツが受信可能となり、表示ユニット３を経由して、カメラ５映像もディスプレイ４へ表示する。
【００２３】
本実施形態によれば、端末装置２８が通報要因を検知したとき、通信制御部１７を介して監視センタ１４のコンテンツ記憶装置２６に格納されているものから該当するコンテンツを選択抽出してディスプレイ４へ表示させるようにしたので、映像端末器２の記憶装置９の記憶容量が比較的少ないものでも良い。また、コンテンツの更新はコンテンツ記憶装置２６だけを行なえば良い。
【図面の簡単な説明】
【００２４】
【図１】本発明の一実施形態の要部構成を示すブロック図である。
【符号の説明】
【００２５】
１  お客様ビル
２  映像端末器
３  表示ユニット
４  ディスプレイ
５  カメラ
６  通信制御部
７  表示情報管理部
８  表示制御部
９  記憶装置
１０  インターネット
１１  パソコン
１２  管理者ビル
１３  管制センタ
１４  監視センタ
１５  情報配信センタ
１６  Ｆ／Ｗ
１７  通信制御部
１８  表示・操作部
１９  表示情報管理部
２０  記憶装置
２１  表示・操作部
２２  回線制御装置
２３  受信制御部
２４  Ｆ／Ｗ
２５  記憶装置
２６  コンテンツ記憶装置
２７  一般電話回線
２８  端末装置
【図１】
2008052632.tif 000003